(57)【要約】【課題】一部が重複する複数のエリアごとに音響化された異なる識別情報が放音され、ユーザが複数の識別情報を取得した場合であっても、ユーザに適切な情報を配信することのできる情報配信システムを提供する。【解決手段】情報配信システムは、複数の放音装置および携帯端末装置を有する。複数の放音装置は、一部が重複する複数のエリアのそれぞれに対応付けられ、対応付けられたエリアに互いに異なる音響化された識別情報を放音する。携帯端末装置は、放音装置が放音した音声を収音する収音部、収音した音声から識別情報を復調する復調部、復調された複数の識別情報から所定の条件を満たした識別情報を選択する選択部、および、選択された識別情報に対応するコンテンツを再生する再生処理部を備える。【選択図】図１
2016212585.tif 000002
【特許請求の範囲】
【請求項１】
一部が重複する複数のエリアのそれぞれに対応付けられ、対応付けられたエリアに互いに異なる音響化された識別情報を放音する複数の放音装置と、
前記放音装置が放音した音声を収音する収音部、収音した音声から前記識別情報を復調する復調部、復調された複数の識別情報から所定の条件を満たした識別情報を選択する選択部、および、選択された識別情報に対応するコンテンツを再生する再生処理部を備えた携帯端末装置と、
を有する情報配信システム。
【請求項２】
前記放音装置は、エリアが重複する他の放音装置とは異なる周波数帯域に前記識別情報を音響化する請求項１に記載の情報配信システム。
【請求項３】
情報通信ネットワークと、
前記情報通信ネットワークに接続され、前記識別情報に基づくコンテンツ情報を割り出すサーバと、をさらに有し、
前記再生処理部は、復調された識別情報を前記サーバに送信して該識別情報に対応するコンテンツ情報を取得し、取得したコンテンツ情報に基づいてコンテンツの再生を行う
請求項１または請求項２に記載の情報配信システム。
【請求項４】
前記携帯端末装置または前記サーバは、複数の識別情報の組合せに対応付けられた重複エリアコンテンツ情報をさらに記憶し、
前記再生処理部は、前記復調部によって復調された複数の識別情報の組合せに対応する重複エリアコンテンツ情報に基づいてコンテンツを再生する
請求項１乃至請求項３のいずれかに記載の情報配信システム。
【請求項５】
一部が重複する複数のエリアのそれぞれに対応付けられた複数の放音装置であって対応付けられたエリアに互いに異なる音響化された識別情報を放音する複数の放音装置から放音された音声を、収音する収音部と、
収音した音声から識別情報を復調する復調部と、
復調された複数の識別情報から所定の条件を満たした識別情報を選択する選択部と、
選択された識別情報に対応するコンテンツを再生する再生処理部と、
を有する携帯端末装置。
【請求項６】
コンピュータを、
一部が重複する複数のエリアのそれぞれに対応付けられた複数の放音装置であって対応付けられたエリアに互いに異なる音響化された識別情報を放音する複数の放音装置から放音された音声を、収音する収音手段、
収音した音声から識別情報を復調する復調手段、
復調された複数の識別情報から所定の条件を満たした識別情報を選択する選択手段、
選択された識別情報に対応するコンテンツを再生する再生処理手段、
として機能させるプログラム。
【発明の詳細な説明】
【技術分野】
【０００１】
この発明は、音響を用いて各種の情報を提供する情報配信システム、および、このシステムに用いられる携帯端末装置、プログラムに関する。
【背景技術】
【０００２】
音声とともに情報を提供する情報配信システムとしては、テレビ放送のコマーシャルの音声に識別情報を重畳して放音するシステムが提案されている（たとえば、特許文献１参照）。このシステムでは、ユーザが、スマートフォンを使用して収音した音声から識別情報を復調し、この識別情報に対応するアドレス情報をサーバから取得する。そして、このアドレス情報に該当するコンテンツサーバにアクセスして上記コマーシャルに関連する各種情報をスマートフォンの画面に表示させる。
【先行技術文献】
【特許文献】
【０００３】
【特許文献１】特開２０１２−１５５７０６号公報
【発明の概要】
【発明が解決しようとする課題】
【０００４】
しかしながら、上述したシステムでは、スマートフォンで単一の識別情報が取得される構成に対応しているが、複数の識別情報が取得される場合に適切な情報配信を行うことが困難である。たとえば、店舗などの施設において、複数箇所に配置された複数の放音装置のそれぞれが異なる識別情報を放音する場合がある。この場合、場所によっては複数の識別情報が取得される可能性があり、複数の識別情報に対する適切な処理を行うことが難しい。
【０００５】
この発明は、一部が重複する複数のエリアごとに音響化された異なる識別情報が放音され、ユーザが複数の識別情報を取得した場合であっても、ユーザに適切な情報を配信することのできる情報配信システム、および、携帯端末装置、プログラムを提供することを目的とする。
【課題を解決するための手段】
【０００６】
本発明の情報配信システムは、複数の放音装置および携帯端末装置を有する。複数の放音装置は、一部が重複する複数のエリアのそれぞれに対応付けられ、対応付けられたエリアに互いに異なる音響化された識別情報を放音する。携帯端末装置は、放音装置が放音した音声を収音する収音部、収音した音声から識別情報を復調する復調部、音声の受信状態を判定する状態判定部、復調された複数の識別情報から所定条件を満たした識別情報を選択する選択部、および、選択された識別情報に対応するコンテンツを再生する再生処理部を備える。この発明における所定の条件を満たした識別情報とは、たとえば、最も受信状態の良好な識別情報、最も優先順位の高い識別情報、他の携帯端末装置による再生数の少ない（混雑していない展示物に対応する）識別情報などである。
【０００７】
上記発明において、各放音装置が、エリアが重複する他の放音装置とは異なる周波数帯域に識別情報を音響化するようにしてもよい。
【０００８】
上記発明において、情報通信ネットワークと、情報通信ネットワークに接続され、識別情報に基づくコンテンツ情報を割り出すサーバと、をさらに備え、再生処理部が以下のように動作してもよい。復調された識別情報をサーバに送信してこの識別情報に対応するコンテンツ情報を取得し、取得したコンテンツ情報に基づいてコンテンツの再生を行う。
【０００９】
上記発明において、携帯端末装置またはサーバが、複数の識別情報の組合せに対応付けられた重複エリアコンテンツ情報をさらに記憶し、再生処理部が、復調部によって復調された複数の識別情報の組合せに対応する重複エリアコンテンツ情報に基づいてコンテンツを再生してもよい。
【００１０】
本発明の携帯端末装置は、収音部、復調部、選択部および再生処理部を有する。集音部は、一部が重複する複数のエリアのそれぞれに対応付けられた複数の放音装置であって対応付けられたエリアに互いに異なる音響化された識別情報を放音する複数の放音装置から放音された音声を収音する。復調部は、収音した音声から識別情報を復調する。選択部は、復調された複数の識別情報から所定の条件を満たした識別情報を選択する。再生処理部は、選択された識別情報に対応するコンテンツを再生する。
【００１１】
本発明のプログラムは、コンピュータを、一部が重複する複数のエリアのそれぞれに対応付けられた複数の放音装置であって対応付けられたエリアに互いに異なる音響化された識別情報を放音する複数の放音装置から放音された音声を収音する収音手段、収音した音声から識別情報を復調する復調手段、復調された複数の識別情報から所定の条件を満たした識別情報を選択する選択手段、選択された識別情報に対応するコンテンツを再生する再生処理手段として機能させる。
【発明の効果】
【００１２】
この発明によれば、複数のエリアに互いに異なる音響化された識別情報が放音され、携帯端末装置において受信状態の良好な識別情報に対応するコンテンツが再生される。したがって、ユーザに適切な情報を配信することができ、音響を用いた情報配信の利便性を向上させることができる。
【図面の簡単な説明】
【００１３】
【図１】この発明の実施形態である情報配信システムの構成を説明する図
【図２】音響ＩＤの重畳方式の例を示す図
【図３】サーバのコンテンツテーブルの例を示す図
【図４】情報配信システムの展示物説明への適用例を示す図
【図５】放音装置の構成例を示すブロック図
【図６】スマートフォンの構成例を示すブロック図
【図７】スマートフォン（音響ＩＤ処理部）の音響ＩＤの取得動作を示すフローチャート
【図８】スマートフォンの重複エリアコンテンツテーブルの例を示す図
【図９】スマートフォン（音響ＩＤ処理部）の音響ＩＤの取得動作および重複エリア検知動作を示すフローチャート
【図１０】この発明の別の実施形態であるサーバのコンテンツテーブルの例を示す図
【図１１】この発明の別の実施形態である情報配信システムの構成を説明する図
【発明を実施するための形態】
【００１４】
図面を参照してこの発明の実施形態である情報配信システムについて説明する。図１は、情報配信システム１００の構成を説明する図である。
【００１５】
この情報配信システム１００は、複数の放音装置１（１Ａ〜１Ｅ）が音響化された識別情報（ＩＤコード）である音響ＩＤを放音し、携帯端末装置であるスマートフォン２が上記音声から取得（復調）した音響ＩＤを用いて特定のインターネットサイト（ＵＲＬ）からこの音響ＩＤのＩＤコードに対応するコンテンツ情報を獲得して再生するシステムである。また、この情報配信システム１００では、それぞれ範囲の一部が重複する複数のエリアＡ〜Ｅに向けてそれぞれ異なる音響ＩＤが放音され、ユーザ６（スマートフォン２）は、現在位置のエリアＡ〜Ｅに放音されている音響ＩＤを取得する。現在位置が複数のエリアに属している場合は、それらのエリアに対応する複数の音響ＩＤを取得する。
【００１６】
この情報配信システム１００は、たとえば、絵画などの芸術作品（展示物）が複数展示されている博物館などで、各展示物に関する説明音声を来場者（ユーザ６）に提供する場合に、来場者が見ている展示物に対して有用な情報をユーザ６に配信するシステムとして好適である。図１は、博物館の通路Ｗを上から見た図であり、通路Ｗの両側壁に複数の展示物（不図示）が設置されている状態を示す。
【００１７】
情報配信システム１００は、複数の放音装置１（１Ａ〜１Ｅ）およびサーバ４を有している。複数の放音装置１Ａ〜１Ｅは、通路Ｗの両側壁に設置された複数の展示物に１対１に対応付けられ、音声などのコンテンツの再生装置１１０（１１０Ａ〜１１０Ｅ）から受信した音声を指向性スピーカ１３（図５参照）から放音する。音声は、たとえば、対応する展示物の解説音声である。放音装置１Ａ〜１Ｅは、対応する展示物の下方に配置されている（図４参照）。
【００１８】
また、放音装置１は、複数のＩＤコードのそれぞれを音響信号に変調した（音響化した）音響ＩＤを、再生装置１１０からの音声と一緒に放音する。この実施形態では、各放音装置１Ａ〜１Ｅは、音響ＩＤ５Ａ〜５Ｅを放音する。また、各放音装置１Ａ〜１Ｅは、エリアＡ〜Ｅに１対１に対応付けられ、各音響ＩＤ５Ａ〜５Ｅが対応するエリアＡ〜Ｅに到達するように音響ＩＤ５Ａ〜５Ｅの音量制御および指向性制御（ビーム制御）を行う。詳細は後述する。放音された音響ＩＤ５Ａ〜５Ｅは、各エリアＡ〜Ｅでユーザ６が所持するスマートフォン２を用いて取得することができる。なお、この実施形態では、放音装置１が、解説音声に音響ＩＤを重畳して放音することとしているが、放音装置１が解説音声を放音せず音響ＩＤのみを放音するようにしてもよい。この場合、来場者は、展示物の解説を音響ＩＤに応じたコンテンツ情報から得ることになる。
【００１９】
エリアＡ〜Ｅは、図１に示すように、放音装置１Ａ〜１Ｅを中心として対向する側壁に向かって拡散する半円形状を呈する。また、エリアＡ〜Ｅは、隣り合うエリアおよび対向するエリアのいずれかと一部が重複するように構成されている。重複箇所７０〜７５では、重複しているエリアＡ〜Ｅに対応する複数の音響ＩＤ５Ａ〜５Ｅが取得される。たとえば、エリアＡとエリアＢとの重複箇所７０では、音響ＩＤ５Ａ，５Ｂが取得される。
【００２０】
なお、図１では、５つのエリアＡ〜Ｅを例示しているが、エリアの数は５つに限定されない。また、エリアＡ〜Ｅの形状も半円形状に限定されない。さらに、各エリアＡ〜Ｅの形状は同一でなくてもよい。
【００２１】
上述した重複箇所７０〜７５において、複数の音響ＩＤ５を取得した場合、受信状態の良好な音響ＩＤ５が選択される。この実施形態では、信号強度の強い音響ＩＤが選択される。信号強度は、たとえば音圧レベル（ｄＢ）である。たとえば、重複箇所７０において放音装置１Ｂよりも放音装置１Ａに近い場所では、音響ＩＤ５Ｂよりも音響ＩＤ５Ａの方が信号強度は強いので、音響ＩＤ５Ａが選択される。
【００２２】
また、各音響ＩＤ５Ａ〜５Ｅを、各エリアＡ〜Ｅに到達させるには、上述したように音響ＩＤ５Ａ〜５Ｅの音量および指向性を制御する。たとえば、音量は、エリアが大きくなるほど大きく設定される。指向性の制御は、エリアの形状に応じて、指向性スピーカ１３を構成する各スピーカから放音（出力）するタイミングを制御する。たとえば、指向性スピーカ１３を構成する端部のスピーカから放音するタイミングを、中央のスピーカから放音するタイミングよりも遅らせることで、エリアＡ〜Ｅの半円形状に沿って拡散するように放音される。なお、指向性スピーカ１３の指向性制御は、例えば本出願人の特開２００６−２５１５３号公報に記載されている手法を用いればよい。また、再生装置１１０からの音響信号は、音響ＩＤ５とは別に指向性制御されて指向性スピーカ１３から放音される。
【００２３】
各音響ＩＤ５Ａ〜５Ｅは、ＩＤコード（情報信号）から変調される際、図２に示すように、指向性スピーカ１３で再生される帯域の音声のうち高音域の周波数帯域に周波数シフトされる。図２に示すように動画の再生などに使用される音声の上限周波数は１６ｋＨｚ程度である。この実施形態では、１７〜２０ｋＨｚの帯域を３つに分けた３バンド５０Ａ〜５０Ｃのそれぞれに音響ＩＤ５Ａ〜５Ｅが含まれるように周波数シフトされる。また、音響ＩＤ５は、放音されるエリアＡ〜Ｅに隣り合うエリアおよび対向するエリアに放音される音響ＩＤ５とは異なるバンドにシフトされる。たとえば、音響ＩＤ５Ａは、音響ＩＤ５Ｂ（バンド５０Ｂ）、音響ＩＤ５Ｃ（バンド５０Ｃ）とは異なるバンド５０Ａにシフトされる。すなわち、音響ＩＤ５が放音されるエリアに重複している別のエリアの音響ＩＤ５とは異なるバンドにシフトされる。
【００２４】
スマートフォン２が、上のような音響ＩＤ５を取得するためには、インストールされている音響ＩＤアプリケーションプログラム２００を起動する必要がある。音響ＩＤアプリケーションプログラム２００は、収音した音声から音響ＩＤ５を分離・復調し、この音響ＩＤ５（ＩＤコード）をサーバ４に送信して対応するコンテンツ情報を受信するプログラムである。また、音響ＩＤアプリケーションプログラム２００は、サーバ４から受信したコンテンツ情報を再生する。コンテンツ情報は、たとえば、テキストデータである。スマートフォン２は、テキストデータを受信すると、表示画面にテキストデータを再生する（表示する）。また、コンテンツ情報に音声データを含めておき、スマートフォン２に接続されたイヤホンから解説音声が出力されるようにしてもよい。このようにすることで、放音装置１から解説音声を放音する必要がなくなる。
【００２５】
サーバ４は、図３に示すような音響ＩＤ５Ａ〜５ＥのＩＤコードと上述したコンテンツ情報とが対応付けられたコンテンツテーブル４０を記憶し、受信したＩＤコード（音響ＩＤ５）に対応するコンテンツ情報をコンテンツテーブル４０から読み出してスマートフォン２に返信する。この実施形態のコンテンツテーブル４０には、各音響ＩＤ５Ａ〜５ＥのＩＤコードに対応するテキストデータのコンテンツ情報が登録されている。この実施形態のコンテンツテーブル４０には、放音装置１Ａ〜１Ｅに対応付けられた５つの展示物に関する詳細な説明文章や展示物の鑑賞方法の説明がコンテンツ情報として登録されている。なお、コンテンツ情報はテキストデータに限定されるものではなく、サーバ４とは別のコンテンツサーバのＵＲＬや、展示物に関する画像情報などであってもよい。
【００２６】
たとえば、図４に示すような放音装置１Ａに対応する展示物が設置されているエリアＡでは、ユーザ６は、展示物および音響ＩＤ５Ａが重畳された展示物に関する説明音声６１を視聴することができる。放音装置１Ａは、博物館の営業時間中、対応する展示物に関する説明音声を、音響ＩＤ５Ａを重畳した状態でスピーカ１３から繰り返し放音している。また、展示物付近には、図４に示すような音響ＩＤアプリケーションプログラム（音響ＩＤアプリ）２００の起動を促す文言が記載されたプレート６０が設置されている。
【００２７】
ユーザ６は、必要に応じてスマートフォン２を操作して音響ＩＤアプリケーションプログラム２００を起動する。なお、既に起動している場合、自動的に起動する場合にはユーザ６の操作は不要である。音響ＩＤアプリケーションプログラム２００が起動された（音響ＩＤ処理部２２が構成された）スマートフォン２は、放音された音響ＩＤ５を収音し、これをＩＤコードに復調して上に説明したサーバ４へのアクセスを開始する。
【００２８】
ユーザ６が、エリアＢ，Ｃに重複していないエリアＡの領域にいる場合、スマートフォン２は音響ＩＤ５Ａのみを収音する。そして、スマートフォン２は、サーバ４から受信した音響ＩＤ５Ａ（ＩＤコード）に対応するコンテンツ情報を画面に表示する。また、ユーザ６が、重複箇所７０にいる場合、スマートフォン２は音響ＩＤ５Ａ，５Ｂを収音する。そして、スマートフォン２は、信号強度の強い音響ＩＤ５Ａまたは音響ＩＤ５ＢのＩＤコードをサーバ４に送信する。その後、上述と同様にスマートフォン２は、サーバ４から受信した音響ＩＤ５Ａまたは音響ＩＤ５Ｂに対応するコンテンツ情報を画面に表示する。また、同時にコンテンツ情報に含まれる音声データを再生してもよい。
【００２９】
また、表示されているコンテンツ情報にＵＲＬが含まれている場合、ユーザ６が、このＵＲＬを選択操作することで、ウェブブラウザ２６（図６参照）が起動して、選択されたＵＲＬのコンテンツが表示される。たとえば、展示物に関連するグッズのオンライン販売のサイトが表示される。また、スマートフォン２が、サーバ４から取得したＵＲＬに自動的にアクセスしてもよい。
【００３０】
このように、複数のエリアＡ〜Ｅに互いに異なる音響化された識別情報（音響ＩＤ５Ａ〜５Ｅ）が放音され、携帯端末装置（スマートフォン２）において受信状態の良好な識別情報に対応するコンテンツが再生される。したがって、ユーザに適切な情報を配信することができ、音響を用いた情報配信の利便性を向上させることができる。
【００３１】
図５は、放音装置１Ａの構成例を示すブロック図である。なお、放音装置１Ｂ〜１Ｅも同様の構成であるので、放音装置１Ａの構成のみ説明する。放音装置１Ａは、再生装置１１０Ａに接続され、再生装置１１０Ａによって再生された音声の音響信号を受信し、指向性スピーカ１３から放音する。また、放音装置１１は、上記音声に音響ＩＤ５Ａを重畳して放音する。
【００３２】
放音装置１Ａは、音声再生機１２および指向性スピーカ１３を有している。音声再生機１２は、制御部１５、エンコーダ１６、ビーム制御部１７、ネットワーク通信部１８、記憶部１９を有している。制御部１５は、ＣＰＵ、メモリ等から構成され、装置全体の動作を制御する。たとえば、制御部１５は、記憶部１９に記憶されている音響ＩＤ５ＡのＩＤコードを読み出して、エンコーダ１６Ａに送信する。また、制御部１５は、ネットワーク通信部１８を介してサーバ４からの指示を受信して、記憶部１９に記憶されている音響ＩＤ５ＡのＩＤコードを更新する。ネットワーク通信部１８は、通信回路等から構成され、情報通信ネットワーク３を介してサーバ４との通信（パケット通信）を制御する。記憶部１９は、たとえばハードディスク装置であり、ＩＤコードなどを記憶する。
【００３３】
エンコーダ（変調部）１６は、ＤＳＰなどから構成され、制御部１５から受信したＩＤコードを音響ＩＤ５Ａに音響化し（拡散変調し）、ビーム制御部１７に送信する。また、エンコーダ１６は、受信したＩＤコードを、図２に示す周波数帯域（バンド５０Ａ）に含まれる音響ＩＤ５Ａに変調する。具体的には、音響ＩＤ５ＡのＩＤコードの情報信号に、ＰＮコード（拡散符号）８Ａを乗積し、その後にキャリア９Ａを用いて変調する。その際、音響ＩＤ５ＡがエリアＡに到達する所定の音量となるように変調する。なお、拡散変調の処理については、国際公開第２０１０／０１６５８９号パンフレットに詳細に説明されている。
【００３４】
ビーム制御部（指向性制御部）１７は、ＤＳＰなどから構成され、音響信号の指向性を制御する。具体的には、音響信号を所定の焦点に向けたビームとして出力するべく指向性スピーカ１３を構成する各スピーカに出力するタイミングを制御する。この実施形態では、再生装置１１０Ａからの音響信号、音響ＩＤ５Ａの音響信号のそれぞれについて指向性が制御される。再生装置１１０Ａからの音響信号は、たとえば、エリアＡとは関係なく、指向性スピーカ１３から拡散するように制御される。音響ＩＤ５Ａの音響信号は、上述したようにエリアＡの半円形状に沿った方向（拡散方向）に放音されるように制御される。入力された各音響信号は、出力されるスピーカごとに重畳される。
【００３５】
ビーム制御部１７から出力された音響信号は、図示しないＤ／Ａコンバータ、アンプ等を介して指向性スピーカ１３を構成する各スピーカに入力される。指向性スピーカ１３は、たとえば列状に配置された複数のスピーカから構成されている。なお、この実施形態では、音響ＩＤ５Ａの放音は、再生装置１１０Ａによる説明音声の再生中は常に行われるが、任意に放音期間を設定してもよい。
【００３６】
図６は、スマートフォン２の構成例を示すブロック図である。なお、図６では、本願発明に関係する機能のみを示す。
【００３７】
スマートフォン２は、マイクロフォン２１、音響ＩＤ処理部２２、ネットワーク通信部２５、ウェブブラウザ２６、操作部２７、記憶部２８を備えている。音響ＩＤ処理部２２は、音響ＩＤアプリケーションプログラム２００および制御部（コンピュータ）の協働によって実現され、ＩＤ復調部２３再生処理部２４を備えている。
【００３８】
マイクロフォン（集音部）２１は、スピーカ１３から放音された音声を収音する。ＩＤ復調部２３は、収音して得られた音声信号を、拡散変調に用いられた拡散符号を係数とする整合フィルタに通すことによってＩＤコードを復調する処理部である。この復調処理についても、国際公開第２０１０／０１６５８９号パンフレットに詳細に説明されている。また、ＩＤ復調部２３は、収音して得られた音声信号から音響ＩＤ５の音圧レベルを測定する。したがって、ＩＤ復調部２３は、本発明の状態判定部を含む。
【００３９】
再生処理部２４は、ネットワーク通信部２５を介してサーバ４と通信し、ＩＤ復調部２３が復調したＩＤコード（音響ＩＤ５）を送信してコンテンツ情報を取得し、このコンテンツ情報に基づいてコンテンツを再生する。ネットワーク通信部２５は、通信回路等から構成され、情報通信ネットワーク３を介してサーバ４等との通信（パケット通信）を制御する。また、再生処理部２４は、復調されたＩＤコードが複数ある場合、測定された音圧レベルに基づいて１のＩＤコードを選択し、このＩＤコードをサーバ４に送信する。したがって、再生処理部２４は、本発明の選択部を含む。
【００４０】
ウェブブラウザ２６は、ユーザ６の操作に従って、コンテンツ再生部２４が取得したコンテンツ情報に含まれるＵＲＬにアクセスしてウェブページを表示する。操作部２７は、たとえばタッチパネルであり、情報通信ネットワーク３との通信の許可などのユーザ６の操作を検出する。記憶部２８は、たとえばハードディスク装置であり、音響ＩＤ処理アプリケーションプログラム２００などを記憶する。
【００４１】
図７は、スマートフォン２（音響ＩＤ処理部２２）の音響ＩＤ５の取得動作を示すフローチャートである。音響処理部２２は、音響ＩＤ５を検出しない間（ステップＳ１でＮＯ）は、ステップＳ１で待機している。音響ＩＤ５を検出すると（ステップＳ１でＹＥＳ）、これをＩＤコードに復調し（ステップＳ２）、複数のＩＤコードが復調されたかを判断する（ステップＳ３）。複数のＩＤコードが復調された場合（ステップＳ３でＹＥＳ）、音響処理部２２は、音圧レベルの高かった音響ＩＤ５のＩＤコードを選択し（ステップＳ４）、選択されたＩＤコードをサーバ４に送信する（ステップＳ５）。また、複数のＩＤコードが復調されていない場合（ステップＳ３でＮＯ）、音響処理部２２は、復調されたＩＤコードをサーバ４に送信する（ステップＳ５）。
【００４２】
サーバ４は受信したＩＤコードに対応するコンテンツ情報を読み出し、これをスマートフォン２に返信する。スマートフォン２がこのコンテンツ情報をステップＳ６で受信すると、音響ＩＤ処理部２２は、コンテンツ情報を再生（表示）する（ステップＳ７）。さらに、再生されたコンテンツ情報に対してユーザ６によるＵＲＬの選択操作があった場合（ステップＳ８でＹＥＳ）、音響ＩＤ処理部２２は、ウェブブラウザプログラムを起動して（ステップＳ９）、上記ＵＲＬをウェブブラウザ２６に渡し（ステップＳ１０）、このＵＲＬで指定されるコンテンツサーバにアクセスしてウェブページを表示させる（ステップＳ１１）。
【００４３】
なお、上述した実施形態では、信号強度である音圧レベルに基づいて音響ＩＤ５（ＩＤコード）が選択される例を示したが、特にこれに限定されず、受信状態の良好な音響ＩＤ５を選択できればよい。また、受信状態に代えて、優先順位情報に基づいて音響ＩＤ５を選択するようにしてもよい。この場合、優先順位情報を予め記憶部２８に記憶しておけばよい。さらに、ＩＤコードが数値情報である場合には、数値の大小に応じて音響ＩＤ５を選択するようにしてもよい。あるいは、放音装置１において優先順位情報も変調して音響ＩＤ５とともに放音するようにしてもよい。
【００４４】
また、優先順位情報に基づく音響ＩＤ５の選択の場合、スマートフォン２において優先順位を判断しなくてもよい。たとえば、サーバ４が優先順位を判断してもよい。この場合、音響ＩＤ処理部２２は、取得した複数の音響ＩＤ５のＩＤコードの全てをサーバ４に送信する。そして、サーバ４は、受信したＩＤコードのうちから優先順位の高いＩＤコードを選択し、このＩＤコードに対応するコンテンツ情報を返信する。
【００４５】
さらに、博物館内の混雑状況に基づいて音響ＩＤ５を選択するようにしてもよい。たとえば、スマートフォン２が取得した複数の音響ＩＤ５のうち、ユーザ６数の少ない（比較的空いている）エリアに対応する音響ＩＤ５を選択する。これにより、ユーザ６を空いている展示物に誘導することができる。混雑状況は、例えば、サーバ４が所定時間内に受信したＩＤコードの数が所定値以上である場合にそのＩＤコード（音響ＩＤ５）に対応するエリアは混雑と判定する。あるいは、各展示物の付近に設けられたカメラの撮影による画像に含まれるユーザ６数が所定値以上である場合に混雑と判定する。この場合、サーバ４が、スマートフォン２から複数のＩＤコードを受信し、混雑状況に基づいて複数のＩＤコードのうちから１つを選択すればよい。あるいは、サーバ４は、スマートフォン２に混雑状況の情報を定期的に送信し、スマートフォン２が混雑状況に基づいてＩＤコードを選択するようにしてもよい。
【００４６】
以上は、スマートフォン２で複数の音響ＩＤ５が取得された場合に、受信状態の良好な音響ＩＤ５（ＩＤコード）に対応するコンテンツ情報が再生される例を示した。このようなコンテンツ情報の再生の構成に加え、取得された音響ＩＤ５に応じた別のコンテンツ情報を追加的に再生することも可能である。
【００４７】
たとえば、スマートフォン２は、複数の音響ＩＤ５を取得した場合、上述したように音圧レベルに応じて選択された音響ＩＤ５に対応するコンテンツ情報に基づいてコンテンツを再生する。その後、スマートフォン２は、図８に示す重複エリアコンテンツテーブル５５から、上述の取得した複数の音響ＩＤ５に対応する重複エリアコンテンツ情報を読み出して再生する（表示画面に表示する）。
【００４８】
重複エリアコンテンツテーブル５５は、スマートフォン２の記憶部２８に記憶されている。重複エリアコンテンツテーブル５５には、重複箇所７０〜７５別に取得される音響ＩＤ５のＩＤコードと、重複エリアコンテンツ情報とが対応付けて登録されている。重複エリアコンテンツ情報は、たとえばテキストデータである。この実施形態の重複エリアコンテンツ情報は、ユーザ６にエリアＡ〜Ｅの移動を示唆（誘導）する情報が含まれる。
【００４９】
たとえば、重複箇所７０で取得される音響ＩＤ５Ａ，５Ｂ（ＩＤコード０００１，０００２）の組合せでは、重複エリアコンテンツ情報「展示物ＸＸの次に見るのは、展示物ＹＹです。」が画面に表示される。これは、エリアＡに対応する展示物ＸＸからエリアＢの展示物ＹＹへの移動が順路であることを示している。
【００５０】
なお、重複エリアコンテンツ情報は、テキストデータに限定されない。たとえば、展示物の配置マップの画像に現在位置および順路を示す矢印画像を含めた画像情報であってもよい。また、重複エリアコンテンツ情報の再生は、たとえば音響ＩＤアプリケーションプログラム２００を起動して実現される音響ＩＤ処理部２２（再生処理部２４）によって実行される。したがって、再生処理部２４は、本発明は重複エリア再生処理部を含む。
【００５１】
このように、複数の音響ＩＤ５が取得される重複箇所７０〜７５に対して別のコンテンツ情報を追加的に再生することで、音響を用いた情報配信の利便性をより向上させることができる。
【００５２】
図９は、スマートフォン２（音響ＩＤ処理部２２）の音響ＩＤ５の取得動作および重複エリア検知動作を示すフローチャートである。なお、ステップＳ１〜Ｓ１１までの取得動作の処理は、図７に示す処理とほぼ同様であり、主としてステップＳ１２以降の移動検知動作についてのみ説明する。
【００５３】
音響ＩＤ処理部２２は、ステップＳ８においてユーザ６によるＵＲＬの選択操作がなかった場合、コンテンツの再生（表示）が終わって移動中の可能性があるため、ステップＳ１２に進んで、ステップＳ３と同様に複数のＩＤコードが復調されたかを判断する（ステップＳ１２）。複数のＩＤコードが復調された場合（ステップＳ１２でＹＥＳ）、音響ＩＤ処理部２２は、対応する重複エリアコンテンツ情報を重複エリアコンテンツテーブル５５から取得し（ステップＳ１３）、スマートフォン２の画面に再生（表示）する（ステップＳ１４）。そして、ステップＳ１に戻る。また、複数のＩＤコードが復調されていない場合（ステップＳ１２でＮＯ）もステップＳ１に戻る。
【００５４】
以上は、スマートフォン２で複数の音響ＩＤ５が取得された場合に、いずれかの音響ＩＤ５を選択する例を示した。一方、複数の音響ＩＤ５が取得された場合であっても、いずれかの音響ＩＤ５を選択することなく、コンテンツ情報を再生することも可能である。
【００５５】
たとえば、スマートフォン２は、取得した複数のＩＤコード（音響ＩＤ５）をサーバ４に送信し、サーバ４が図１０に示すコンテンツテーブル４５を用いてコンテンツ情報を送信する。コンテンツテーブル４５には、図３と同様に単一のＩＤコードとコンテンツ情報とが対応付けて登録されていることに加え、複数のＩＤコードとコンテンツ情報とが対応付けて登録されている。すなわち、重複箇所７０〜７５において取得される複数の音響ＩＤ５（ＩＤコード）の組合せとコンテンツ情報とが対応付けて登録されている。したがって、実質的なエリア数がエリアＡ〜Ｅおよびゾーン７０〜７５の計１１となる。この場合、図７のステップＳ３，Ｓ４の複数のＩＤコードのうちの１つを選択するための処理が不要となる。
【００５６】
このように、複数のＩＤコードの組合せに対するコンテンツ情報も再生することで、少ないＩＤコードで情報配信のためのエリア数を増加させることができる。したがって、音響を用いた情報配信の利便性をより向上させることができる。
【００５７】
なお、上述の実施形態では、１つの展示物に対して１つの放音装置を配置しているが、特にこれに限定されるものではない。たとえば、図１１に示すように、１つの展示物に対して複数の放音装置１１Ａ〜１１Ｅを配置してもよい。放音装置１Ａ′〜１Ｅ′は、接続された再生装置（不図示）から受信した展示物に関する説明音声を放音する。また、放音装置１Ａ′〜１Ｅ′は、説明音声とともに、対応するエリアＡ′〜Ｅ′に互いに異なる音響ＩＤ５０（５０Ａ〜５０Ｅ）（不図示）を放音する。
【００５８】
そして、ユーザ６（スマートフォン２）は、各エリアＡ′〜Ｅ′において各音響ＩＤ５０Ａ〜５０Ｅを取得し、サーバ４に送信する。そして、サーバ４から受信したコンテンツ情報に基づいてコンテンツの再生が行われる。音響ＩＤ５０Ａ〜５０Ｅ（ＩＤコード）に対応付けられたコンテンツ情報は、たとえば、各エリアＡ′〜Ｅ′側から見える展示物に関する詳細説明のテキストデータである。具体的には、展示物正面のエリアＡ′の音響ＩＤ５０Ａに対応するコンテンツ情報には、展示物を側面から見たときにしか見えない造形についての説明（テキストデータ）が含まれる。
【００５９】
なお、上述の実施形態では、音響ＩＤ５，５０を指向性スピーカ１３を用いて放音しているが、一般的なスピーカユニットをエリア別に設けて、それぞれ音響ＩＤおよび再生装置１１０の音響信号を放音することも可能である。具体的には、音量を制御することで放音範囲を制御すればよい。
【００６０】
また、以上の実施形態では、博物館の放音装置に本発明の情報配信システムを使用した例を示したが、本発明は、博物館の放音装置に限定されない。たとえば、放音装置がラジオ受信機であってもよい。また、放音装置が、小売店舗、ショッピングモール等の施設に設置されたデジタルサイネージなどのスピーカを利用したものであってもよい。
【００６１】
施設としては、博物館、店舗等の商業施設に限らず、公共施設、民間施設、集合住宅、事務所施設等の各種施設に適用が可能である。たとえば、小売店舗の店頭（店舗近傍）または店内に設置されたスピーカから放音される呼び込み音声や音楽（ＢＧＭ）に音響ＩＤを重畳し、店舗近傍を通り掛かる顧客や店舗に入店した顧客に、情報を配信するサービスに適用することが可能である。
【００６２】
上述した実施形態におけるスマートフォン２の音響ＩＤ処理部２２は、制御部と音響ＩＤアプリケーションプログラム２００との協働によって実現される機能部であり、この音響ＩＤアプリケーションプログラム２００は、コンピュータ読み取り可能な記録媒体に記録した状態で提供し得るものである。コンピュータ読み取り可能な記憶媒体としては、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどを適用することが可能である。また、上記のプログラムは、インターネットのような情報通信ネットワーク経由でダウンロードさせることも可能である。また、本実施形態では、携帯端末装置としてスマートフォン２を例示しているが、スマートフォン２に限定されない。
【００６３】
また、上述した実施形態におけるスマートフォン２のコンテンツ再生は、ＩＤコードに対応するコンテンツ情報をサーバ４から受信して行っているが、特にこれに限定されない。たとえば、スマートフォン２が、コンテンツテーブル４０を記憶部２８などに記憶していてもよい。たとえば、博物館の入り口でコンテンツテーブルをダウンロードしたり、コンテンツテーブルが記憶された媒体（マイクロＳＤカード等）をセットすればよい。この場合、スマートフォン２からサーバ４へのアクセスは不要となる。
【符号の説明】
【００６４】
１  放音装置
２  スマートフォン（携帯端末装置）
３  情報通信ネットワーク
４  サーバ
【００６５】
５（５Ａ〜５Ｅ），５０（５０Ａ〜５０Ｅ）  音響ＩＤ
６  ユーザ
１２  音声再生機
１３  指向性スピーカ
【図１】
2016212585.tif 000003
【図２】
2016212585.tif 000004
【図３】
2016212585.tif 000005
【図４】
2016212585.tif 000006
【図５】
2016212585.tif 000007
【図６】
2016212585.tif 000008
【図７】
2016212585.tif 000009
【図８】
2016212585.tif 000010
【図９】
2016212585.tif 000011
【図１０】
2016212585.tif 000012
【図１１】
2016212585.tif 000013